(57)【要約】【課題】  構造が簡素であり常に調理容器をガスコンロのバーナの中央部上方に位置付けることができるコンロ用五徳を提供する。【解決手段】  コンロ用五徳１０は、コンロの天板に載置された環状の枠部１２と、この枠部１２の上方からコンロのバーナの上方まで延出して調理容器Ｃを支持する複数の爪部１４と、枠部１２の上方に延びた案内部１８とを有する。爪部１４と案内部１８は、枠部１２に対してその内側で上下方向に回動自在に取り付けられている。【選択図】  図３
2010145025.tif 000002
【特許請求の範囲】
【請求項１】
コンロの天板に載置される環状の枠部と、
前記枠部の上方からコンロのバーナの上方まで前記枠部の半径方向に延出する複数の爪部と、
前記爪部と一体に形成され前記枠部の上方に延びた複数の案内部とを備え、
前記爪部は前記案内部と共に、前記枠部に対してその内側で上下方向に回動自在に取り付けられ、前記爪部と前記案内部との少なくとも一方で調理容器を前記バーナ上に保持するように構成されたことを特徴とするコンロ用五徳。
【請求項２】
請求項１記載のコンロ用五徳において、
前記調理容器の底部の外径が前記複数の案内部で包囲された空間の径より小さい場合、前記案内部が前記調理容器の側面に当接して前記爪部と共に前記調理容器を支持することを特徴とするコンロ用五徳。
【発明の詳細な説明】
【技術分野】
【０００１】
本発明は、調理容器をバーナ上に支持するコンロ用五徳に関する。
【背景技術】
【０００２】
一般に、ガスコンロには、バーナ上に鍋等の調理容器を支持するための五徳が備えられている。このような五徳は、ガスコンロの天板上に載置される枠部、及び枠部に設けられてバーナの上部に向かって延出する複数の爪部を備えている。
【０００３】
しかし、調理容器が載置される爪部の上端は平面であるため、調理容器が爪部の上端に載置された場合に、調理容器がガスコンロのバーナの中央部上方に位置付けされるとは限らない。
【０００４】
調理容器がガスコンロのバーナの中央部上方に位置付けされない場合、調理における熱効率が低下して調理に時間がかかり、また、調理容器が爪部からズレ落ちるという問題がある。
【０００５】
そこで、従来、爪部に二段式の内外２つのガイドを備えたセンタリング・ポジショナー機構を装着することにより、特大サイズを除く様々のサイズ、形の鍋類の底がガイド機構中のバネ起し作用で常にガスコンロのバーナの中央部上方に寄せて置けるようにしたコンロ用五徳が知られている（特許文献１参照）。
【特許文献１】登録実用新案第３０３６７７９号公報
【発明の開示】
【発明が解決しようとする課題】
【０００６】
上記の従来技術は、コンロ用五徳の爪部に二段式の内外２つのガイドを備えたセンタリング・ポジショナー機構を装着しているため、構造が複雑でありコストが嵩むという問題がある。
【０００７】
また、上記センタリング・ポジショナー機構はバネ起し作用で鍋類をガスコンロのバーナの中央部上方に寄せているため、鍋類の底とコンロ用五徳の爪部の上端面との摩擦が大きい場合に、バネ起し作用では鍋類をガスコンロのバーナの中央部上方に寄せることができないという問題がある。
【０００８】
本発明は、構造が簡素であり常に調理容器をガスコンロのバーナの中央部上方に位置付けることができるコンロ用五徳を提供することを目的とする。
【課題を解決するための手段】
【０００９】
本発明のコンロ用五徳は、コンロの天板に載置される環状の枠部と、前記枠部の上方からコンロのバーナの上方まで前記枠部の半径方向に延出する複数の爪部と、前記爪部と一体に形成され前記枠部の上方に延びた複数の案内部とを備え、前記爪部は前記案内部と共に、前記枠部に対してその内側で上下方向に回動自在に取り付けられ、前記爪部と前記案内部との少なくとも一方で調理容器を前記バーナ上に保持するように構成されたことを特徴とする。
【００１０】
本発明によれば、爪部は案内部と共に、枠部に対してその内側で上下方向に回動自在に取り付けられるので、調理容器を爪部の上端面に載置した場合に、調理容器の自重により爪部が下方に向けて回動すると共に、案内部が調理容器の側面に当接して常に調理容器をコンロのバーナの中央部上方に位置付けることができ、調理容器が均一加熱されることによって、調理容器に対して安定した加熱が得られる。
【００１１】
本発明において、前記調理容器の底部の外径が前記複数の案内部で包囲された空間の径より小さい場合、前記案内部が前記調理容器の側面に当接して前記爪部と共に前記調理容器を支持することが好ましい。
【００１２】
この好ましい形態によれば、調理容器は爪部と案内部とで強固に支持されるため、調理容器に何らかの物体が誤って接触してしまう等の事情が生じても、調理容器がコンロのバーナの中心部上方からズレてしまうのを防止することができ、調理容器が均一加熱されることによって、調理容器に対して安定した加熱が得られる。
【発明を実施するための最良の形態】
【００１３】
図１は、本発明のコンロ用五徳の一実施形態を示す斜視図、図２は、図１のII‐II線断面図である。
【００１４】
本実施形態のコンロ用五徳１０は、コンロの天板に載置される環状の枠部１２、枠部１２の上方からコンロのバーナの上方まで枠部１２の半径方向に延出する複数（図示例の場合、６個）の爪部１４、  及び爪部１４と一体に形成され枠部１２の上方に延びた複数の案内部１８を有している。
【００１５】
枠部１２は、環状板として形成され、平面部がコンロの天板に載置される。爪部１４は、板状に形成され基端部１４ａから所定の距離上方に延びて前方に所定の距離延びるように形成されている。案内部１８は、爪部１４の径方向後部１４ｂから所定の距離上方に延びている。
【００１６】
爪部１４は案内部１８と共に、枠部１２に対してその内側で上下方向に回動自在に取り付けられ、爪部１４と案内部１８との少なくとも一方で鍋などの調理容器ＣをバーナＢ（図３）上に保持する。
【００１７】
この場合、調理容器Ｃは、その底部の外径が複数の案内部１８で包囲された内径ｄの空間に収まるものである。
【００１８】
枠部１２の内円端部１２ａにおいて前記爪部１４が存在する部位には、爪部１４を挟んで一対の突起部２６が立設されている。
【００１９】
枠部１２の一対の突起部２６の間には、爪部１４が枠部１２に接触しない凹部２８が設けられている。
【００２０】
枠部１２の一対の突起部２６には、枠部１２の円周の接線方向に貫通する同軸の孔３０が設けられている。
【００２１】
爪部１４の基端部１４ａにおける径方向前端部１４ｃには、枠部１２の一対の突起部２６に挟まれて突出部３２が設けられている。
【００２２】
爪部１４の突出部３２には、枠部１２の孔３０と同軸の孔３４が穿設されている。
【００２３】
枠部１２の一対の突起部２６における孔３０、及び爪部１４の突出部３２における孔３４には、爪部１４が回動自在となるように軸３６が嵌合している。
【００２４】
尚、爪部１４の個数は２以上である。２個の場合は、１つの爪部１４の横幅を大きくとることにより、２つの爪部１４で調理容器Ｃを略水平に保持することができる。
【００２５】
図３は、本実施形態のコンロ用五徳により調理容器Ｃ’が中央部に位置付けられる状態を示す。この場合、調理容器Ｃ’は、底部の外径Ｄが複数の案内部１８で包囲された空間の径ｄより小さいので、爪部１４の上端面に載置されると、調理容器Ｃ’の自重により爪部１４が下方に向けて回動すると共に、案内部１８が調理容器Ｃ’の側面に当接して爪部１４と共に支持され、コンロのバーナＢの中心部上方に位置付けられる。
【００２６】
従って、図３の状態では、調理容器Ｃ’は爪部１４と案内部１８とで強固に支持されるため、調理容器Ｃ’に何らかの物体が誤って接触してしまう等の事情が生じても、調理容器Ｃ’がコンロのバーナＢの中心部上方からズレてしまうのを防止することができ、調理容器Ｃ’が均一加熱されることによって、調理容器Ｃ’に対して安定した加熱が得られる。
【００２７】
例えば、中華鍋のように、調理容器Ｗの径が、複数の案内部１８で包囲された空間の径ｄより大きい場合には、図４に示すように、調理容器Ｗの底部は、爪部１４が起立した状態で案内部１８の上端部で支持される。
【００２８】
尚、調理容器Ｃ又はＣ’としては、例えば、高さが爪部１４の上端から案内部１８の上端までの距離以上で、形状が平面視円形或いは四角形（例えば、蒸し器）であるものが挙げられる。
【図面の簡単な説明】
【００２９】
【図１】本発明のコンロ用五徳の一実施形態を示す斜視図である。
【図２】図１のII‐II線断面図である。
【図３】本実施形態のコンロ用五徳により調理容器Ｃ’が中央部に位置付けられる状態を示す図である。
【図４】本実施形態のコンロ用五徳の他の使用例を示す図である。
【符号の説明】
【００３０】
１０…コンロ用五徳、１２…枠部、１２ａ…内円端部、１４…爪部、１４ａ…基端部、１４ｂ…径方向後部、１４ｃ…径方向前端部、１８…案内部、２６…突起部、２８…凹部、３０…枠部の孔、３２…突出部、３４…突出部の孔、３６…軸、Ｂ…バーナ、Ｃ，Ｃ’，Ｗ…調理容器、ｄ…空間の径、Ｄ…調理容器Ｃ’の外径。
【図１】
2010145025.tif 000003
【図２】
2010145025.tif 000004
【図３】
2010145025.tif 000005
【図４】
2010145025.tif 000006